(57)【要約】【課題】  新規なグラディエーション効果を得て高い意匠性を確保する。【解決手段】  裏面側不透過層１５が、透明基板１１の裏面側（図中、下側）における白色印刷層１３上に、光源１６からの照明光を透過不能に設けられており、表面側不透過層１４間に形成されるエリア部１７，１８のうち、光源１６から遠い側（図中、右側）のエリア部１８と透明基板１１を挟んで対向する位置に配置される。エリア部１８は、光源１６からの照明光を、透明基板１１及び透明基板１１の表裏面のそれぞれの白色印刷層１２，１３を介して直接入射される（図中、光路ａ）とともに、一部の照明光を、透明基板１１の表裏面のそれぞれの白色印刷層１２，１３における透明基板１１と接する面で、順次反射して入射される（図中、光路ｂ）。【選択図】        図３
2006090815.tif 000002
【特許請求の範囲】
【請求項１】
光を透過可能な透明基板の裏面側に配置された光源により照明される文字板の構造であって、
前記透明基板の表裏面にそれぞれ設けられた白色印刷層と、
前記透明基板の表面側における前記白色印刷層上の内、文字部分等からなるエリア部を除く箇所に形成させる表面側不透過層と、
前記透明基板の裏面側における前記白色印刷層上の内、前記エリア部に対応する位置に該エリア部面と略相似形状の裏面側不透過層と、を備えたことを特徴とする文字板構造。
【請求項２】
文字板外周部に透過層を複数設け、少なくとも１つの透過層のエリア部に対応する位置に該エリア層と略相似形状の裏面側不透過層を備えたことを特徴とする請求項１記載の文字板構造。
【発明の詳細な説明】
【技術分野】
【０００１】
本発明は、車両の計器類に好適に用いられる文字板構造に関する。
【背景技術】
【０００２】
従来から自動車等の計器類に用いられる様々な文字板構造が知られている（例えば、特許文献１参照）。図４は、特許文献１で開示されている文字板構造を示す要部断面図である。
【０００３】
図４及び図５に示されるように、文字板１００の構造において、透明基材１０１の表面側には、光線不透過性層１０２が、表示パターン１０３を残して形成されており、透明基材１０１の裏面側には、裏面側高反射性層１０４が形成されている。裏面側高反射性層１０４は、表示パターン１０３に対応し、かつ、表示パターン１０３より僅かに太い表示パターン１０５を形成させる。
【０００４】
このような文字板１００では、昼間時、太陽光等の外光が、透明基材１０１の表面から内部へ入射し、裏面側高反射性層１０４の表示パターン１０５部分で反射する。これにより、表示パターン１０３による表示が視認される。
【０００５】
また、夜間照明時には、光源１０６からの光が、透明基材１０１の裏面側における裏面側高反射性層１０４のない部分、すなわち入射用間隙１０７を介して内部に入射し、光線不透過性層１０２で反射するなどして透明基材１０１内を伝播する。そして、透明基材１０１内を伝播した光は、裏面側高反射性層１０４の表示パターン部分で反射して光線不透過性層１０２の表示パターン１０３から透明基材１０１の表面側へ出射する。これにより、表示パターン１０３による表示が認識される。
【０００６】
この際、表示パターン１０５を裏面側高反射性層１０４で形成したことにより、表示パターン１０３が間接照明状態となる。したがって、輝度ピークのばらつき等の影響を受け難くなり、文字板１００の輝度分布の均一性が確保される。
【特許文献１】特開２００２―９８５５７号公報（第３〜４頁、第１図）
【発明の開示】
【発明が解決しようとする課題】
【０００７】
しかしながら、上述した従来の文字板構造では、例えば照明光のグラディエーション効果等を得ることはできず、新たな計器類に適用する文字板に相応しい高い意匠性を確保することができないという問題があった。
また、一般にグラディエーション効果を得るためには、印刷にてグラディエーション模様をつけるが、文字板に装飾性を持たせるために、文字板の周囲に設けるリング模様では、細い幅となるため、グラディエーション模様を印刷することが困難であるという問題があった。
【０００８】
本発明は、上記事情に鑑みてなされたものであり、エリア部に簡単な構造で新規なグラディエーション効果を得ることができ、これにより高い意匠性を確保することができる文字板構造を提供することを目的とする。
【課題を解決するための手段】
【０００９】
本発明の文字板構造は、光を透過可能な透明基板の裏面側に配置された光源により照明される文字板の構造であって、前記透明基板の表裏面にそれぞれ設けられた白色印刷層と、前記透明基板の表面側における前記白色印刷層上の内、文字部分等からなるエリア部を除く箇所に形成させる表面側不透過層と、前記透明基板の裏面側における前記白色印刷層上の内、所定の前記エリア部に対応する位置に該所定のエリア部面と相似形状の裏面側不透過層と、を備えたことを特徴とする。
また、前記文字板構造であって、文字板外周部に透過層を複数設け、少なくとも１つの透過層のエリア部に対応する位置に該エリア層と略相似形状の裏面側不透過層を備えたことを特徴とする。
【００１０】
前記構成の文字板構造によれば、所定のエリア部には、光源からの照明光が、透明基板及び透明基板の表裏面の白色印刷層を介して直接入射されるとともに、一部の照明光が、透明基板の表裏面のそれぞれの白色印刷層における透明基板と接する面で順次反射して入射される。白色印刷層で反射される反射光の輝度は、光源から離れるに従って低下する。したがって、当該エリア部には、照明光のグラディエーションが現れる。
また、前記構成の文字板構造によれば、裏面側不透過層を設けたエリア部と近接して、裏面側不透過層を設けない透光性エリア面を備えるので、他の近接したエリア部は通常の照明光となる。
【発明の効果】
【００１１】
本発明の文字板構造によれば、所定のエリア部に新規なグラディエーション効果を簡単な構成で得ることができ、これにより高い意匠性を確保することができる。また、近接位置にグラディエーション効果を有さないエリア部との対比により、グラディエーション部がより引き立ち、より高い意匠性を有することもできる。
【発明を実施するための最良の形態】
【００１２】
以下、本発明に係る文字板構造の一実施形態を図１〜図３に基づいて詳細に説明する。図１は、本発明の一実施形態である文字板構造を適用された車両用計器を示す正面図であり、図２は、図１の車両用計器のＡ部拡大図、図３は、図２のＢ−Ｂ断面図、図４は、図１の車両用計器の部分断面図である。
【００１３】
図１〜図４を参照すると、本実施形態の文字板構造において、車両用計器１は、主に文字板１０、指針１９、ケース２０、見返し２１、表ガラス２２、配線板２３、内機２４等から構成されている。ケース２０の裏面には、配線板２３が取り付けられており、この配線板２３の裏面には指針１９の回転軸が回転自在に取り付けられた内機２４が固定されている。また、ケース２０の表面には、文字板１０が取り付けられ、この文字板１０の表示部分の回りを覆うように見返し２１が取り付けられている。更に、見返し２１の前面には表ガラス２２が組み付けられている。
文字板１０は、光を透過可能な透明基板１１の表裏面にそれぞれ、白色印刷層１２，１３を有するとともに、各白色印刷層１２，１３上にそれぞれ、表面側不透過層１４及び裏面側不透過層１５を有しており、裏面側（図３中、下側）から光源１６により照明される。
【００１４】
すなわち、各白色印刷層１２，１３はそれぞれ、透明基板１１の表裏面に白色印刷を施すことにより設けられており、光源１６からの照明光を後述する所定のエリア部で半透過可能である。また表面側不透過層１４は、透明基板１１の表面側（図３中、上側）における白色印刷層１２上に黒色印刷を施すことにより、光源１６からの照明光を透過不能に複数設けられており、それぞれの間に意匠や文字部を形成するエリア部１７，１８を形成させる。
【００１５】
更に、裏面側不透過層１５は、透明基板１１の裏面側における白色印刷層１３上に黒色印刷を施すことにより、光源１６からの照明光を透過不能に設けられる。裏面側不透過層１５は、表面側不透過層１４間に形成されるエリア部１７，１８のうち、光源１６から遠い側（図３中、右側）のエリア部１８と透明基板１１を挟んで対向する位置に該エリア部１８面と相似形状に配置される。
【００１６】
光源１６から近い側（図３中、左側）のエリア部１７は、光源１６からの照明光を、透明基板１１及び透明基板１１の表裏面のそれぞれの白色印刷層１２，１３を介して直接入射される。
一方、光源１６から遠い側（図３中、右側）のエリア部１８は、光源１６からの照明光を、透明基板１１及び透明基板１１の表裏面のそれぞれの白色印刷層１２，１３を介して直接入射される（図３中、光路ａ参照）とともに、一部の照明光を、透明基板１１の表裏面のそれぞれの白色印刷層１２，１３における透明基板１１と接する面で、順次反射して入射される（図３中、光路ｂ参照）。すなわちエリア部１８は、光源１６からの直射光（図３中、光路ａ参照）及び反射光（図３中、光路ｂ参照）を入射される。
【００１７】
本実施形態の作用を説明する。
光源１６から遠い所定のエリア部１８には、光源１６からの照明光が、透明基板１１及び透明基板１１の表裏面のそれぞれの白色印刷層１２，１３を介して直接入射されるとともに、一部の照明光が、透明基板１１の表裏面のそれぞれの白色印刷層１２，１３における透明基板１１と接する面で、順次反射して入射される。各白色印刷層１２，１３での反射後に入射される反射光の輝度は、光源１６から離れるに従って、直射光の輝度より大幅に低下する。したがって、当該エリア部１８には、照明光のグラディエーションが現れる。
【００１８】
以上のように上記実施形態によれば、裏面側不透過層１５が、透明基板１１の裏面側における白色印刷層１３上に、光源１６からの照明光を透過不能に設けられており、表面側不透過層１４間に形成されるエリア部１７，１８のうち、光源１６から遠い側のエリア部１８と透明基板１１を挟んで対向する位置に配置される。
【００１９】
したがって、光源１６から遠い側のエリア部１８には、光源１６からの照明光が、透明基板１１及び透明基板１１の表裏面のそれぞれの白色印刷層１２，１３を介して直接入射されるとともに、一部の照明光が、透明基板１１の表裏面のそれぞれの白色印刷層１２，１３における透明基板１１と接する面で、順次反射して入射される。これにより、エリア部１８に新規なグラディエーション効果を得ることができるとともに、高い意匠性を確保することができ、新たな計器類の文字板デザインとして、優れたマッチングを示す文字板を得ることができる。
なお、エリア部１７を設けることにより、エリア部１８のグラディエーション効果は増加するが、エリア部１７を設けなくてもエリア部１８にはグラディエーション効果が表われる。
【００２０】
本発明により得られる文字板構造は、車両の計器類に好適に用いられ、特に新たな計器類の文字板デザインとして、優れたマッチングを示す。
【図面の簡単な説明】
【００２１】
【図１】本発明の一実施形態である文字板構造を適用された車両用計器を示す正面図である。
【図２】図１の車両用計器のＡ部拡大図である。
【図３】図２のＢ−Ｂ断面図である。
【図４】図１の車両用計器の部分断面図である。
【図５】特許文献１で開示されている文字板構造を示す要部断面図である。
【図６】図４の文字板構造の裏面側高反射性層を示す要部概略平面図である。
【符号の説明】
【００２２】
１    車両用計器
１０  文字板
１１  透明基板
１２  白色印刷層（透明基板の表面側）
１３  白色印刷層（透明基板の裏面側）
１４  表面側不透過層
１５  裏面側不透過層
１６  光源
１７  エリア部
１８  所定のエリア部（光源から遠い側）
１９  指針
２０  ケース
２１  見返し
２２  表ガラス
２３  配線板
２４  内機
ａ  直射光の光路
ｂ  反射光の光路
【図１】
2006090815.tif 000003
【図２】
2006090815.tif 000004
【図３】
2006090815.tif 000005
【図４】
2006090815.tif 000006
【図５】
2006090815.tif 000007
【図６】
2006090815.tif 000008